(57)【要約】      （修正有）【課題】スキーブーツをスキー板に固定するためのスキービンディングに関し、装着脱が簡単に行え、使用感及び操作性、調整機能が良好なスキービンディングを提供する。【解決手段】スティックフレーム５０を二つの接続部５２が二つの頂板取付座３０のスティックフレーム接続部３２に係合し、スティックフレーム接続部を支点として前後にスイングする構成とし、連動板及びスイング式押え頂板の係止フレーム４２、スティックフレームの接続部、頂板取付座は、相互の接続によって４バーリンク機構を構成し、スイング式押え頂板を、二つの係止フレームがそれぞれ二つの頂板取付座の頂板接続部３１に係止し、頂板接続部を支点として、後方にスイングさせるとともに、スティックフレームを後方にスイングさせることにより拘束され、スティックフレームを前方にスイングさせることにより開放される構成とする。【選択図】図１
0003156076.tif 000002
【実用新案登録請求の範囲】
【請求項１】
スキー板への取り付けを行うためのスキー板位置決め部が設けられた底板部と、該底板部の左右の両側から上方に突出した二つの側縁部とを備えた底座と、
前記底板部の後側に設けられ、上方に突出した後側板と、
前記底座の二つの側縁部の前側に互いに対向して係止され、上部の前後に間隔を置いて設けられた頂板接続部とスティックフレーム接続部とを含み、該頂板接続部の位置は該スティックフレーム接続部より高く設けられた二つの頂板取付座と、
スキーブーツを押さえるスキーブーツ押え面、及び、該スキーブーツ押え面の前側の両側から前方に突出した二つの係止フレームを備えたスイング式押え頂板と、
弓状に形成され、前記底座の前記二つの側縁部の間に横架されるスティックセクション、及び、該スティックセクションの両端に設けられ、前記底座の前記二つの側縁部に接続される二つの接続部を備えたスティックフレームと、
前記スイング式押え頂板の前記係止フレームに近い側に設けられ、前記スイング式押え頂板の前記係止フレームに回転可能に接続される第一接続部と、前記スティックフレームの前記接続部の近い側に設けられ前記スティックフレームの前記接続部に回転可能に接続される第二接続部とを備えた二つの連動板とを含み、
前記スティックフレームは、前記二つの接続部が前記二つの頂板取付座の前記スティックフレーム接続部に係合し、前記スティックフレーム接続部を支点として前後にスイングする構成とされ、
前記連動板及び前記スイング式押え頂板の係止フレーム、前記スティックフレームの前記接続部、前記頂板取付座は、相互の接続によって４バーリンク機構を構成しており、
前記スイング式押え頂板は、前記二つの係止フレームがそれぞれ前記二つの頂板取付座の前記頂板接続部に係止され、前記頂板接続部を支点として、後方にスイングさせるとともに、前記スティックフレームを後方にスイングさせることにより拘束され、前記スティックフレームを前方にスイングさせることにより開放されるスキービンディング。
【請求項２】
前記連動板は、凸爪部が設けられ、
前記凸爪部は、前記スティックフレームの前記スティックセクションから上方にスイングして、上下方向の角度になり、前記スイング式押え頂板の前記スキーブーツ押え面が後方にスイングすると、前記スイング式押え頂板の前記係止フレームに突き当たり、
前記後側板は、底側がピンで前記底座の二つの側縁部の後側に係止され、上側が弾性的にスイング可能とされた請求項１記載のスキービンディング。
【請求項３】
前記スキー位置決め部は、前記底座の底板部に設けられる円形貫通口と、
円形位置決め盤とを備え、
前記円形貫通口は、周囲に歯形が形成された歯形リング面を有し、
前記円形位置決め盤は、周縁部に、前記歯形リング面に形成された歯形と噛み合う歯形を有する歯形噛み合面と、
間隔を置いて分布され、スキー板に螺入するボルトを貫通させる複数の位置決めボルト取付穴とを備え、
前記円形位置決め盤の前記歯形噛合い面と前記底座の前記底板部に設けられた前記歯形リング面とを互いに噛み合せて、前記円形位置決め盤に対して前記底座の回転位置を調整可能とした請求項１又は２記載のスキービンディング。
【請求項４】
前記頂板取付座は、上下方向に設けられた長形通し穴と、
前記底座の側縁部に対向する面に設けられた第１定方向歯面とを備え、
前記底座は、前記側縁部の外側面に設けられた第２定方向歯面と、
前記側縁部の複数箇所に設けられ、ボルトが螺入される位置決めねじ穴とを備え、
前記第１定方向歯面と前記第２定方向歯面との噛み合わせ位置、及び、前記ボルトの前記長形通し穴の貫通位置により前記頂板取付座の前記底座に対する上下方向の位置決めを行い、
前記第１定方向歯面を、前記第２定方向歯面に対して前後方向にスライドさせるとともに、前記ボルトを締めつける前記位置決めねじ穴を切り替えることにより、前記頂板取付座の前記底座に対する前後方向の位置決めを行う請求項１乃至３のいずれか一項記載のスキービンディング。
【請求項５】
前記後側板の側部に設けられたピンを支点としてスイング可能に取り付けられたクロー形シートと、
前記スイング式押え頂板のスキーブーツ押え面の側面に設けられ、前記クロー形シートの一端に設けられた位置決め溝と係合する位置決め柱とを備え、
前記クロー形シートを前記スキーブーツ押え面の左右の両側でスイングさせて、前記位置決め柱に前記位置決め溝を嵌合させ、前記スイング式押え頂板にある前記スキーブーツ押え面を前記後側板に対して位置決めする頂板位置決め補助ユニットを含む請求項１乃至４のいずれか一項記載のスキービンディング。
【請求項６】
前記後側板に一端が係合されるラチェットベルトと、
前記スイング式押え頂板のスキーブーツ押え面に固定され、前記ラチェットベルトを開放又は拘束する開閉制御スイッチを備え、
前記スイング式押え頂板にある前記スキーブーツ押え面を前記後側板に対して位置決めする頂板位置決め補助ユニットを含む請求項１乃至４のいずれか一項記載のスキー板のスキービンディング。
【考案の詳細な説明】
【技術分野】
【０００１】
本考案は、スキービンディングに係り、特に、スキーブーツをスキー板に固定するためのスキービンディングに関する。
【背景技術】
【０００２】
スキービンディングは、スキー板上面に取り付けられ、使用者の履いているスキーブーツをスキー板に固定するものである。
【０００３】
従来のスキービンディングは設計上、スキーブーツの装着も取り外しも大変時間がかかるという使いにくい欠点があるため、近年、関係業者が次々とスキービンディングの位置決め構造に関する新しい設計を行い、従来のスキービンディングの欠点を改善しようとしている。
【０００４】
次は、従来のスキービンディングの構造設計を幾つか挙げて、その欠点を説明する。
【０００５】
従来のスキービンディングとしては、頂部押え板と後側板との間を縄体で繋ぎ、スキービンディングの底板に可動式曲がったスタンド体を設け、使用者のスキーブーツがスキービンディングに踏み入り、可動式曲がったスタンド体を踏み押えると、縄体が引き動かされ、それに連動して、押え板と後側板がスイングして、スキーブーツを拘束し、固定する構造が提案されている（例えば、特許文献１参照）。
【０００６】
この従来のスキービンディング構造は、実際に使用したとき、縄体が外来物からの衝撃や摩擦により、びびや破損が生じて、使用寿命が短縮されるという欠点があり、また、押え板と後側板の間には、スキーブーツが踏み入るために開ける最大の角度が限られて、スキーブーツで踏み入るのに不便である。
【０００７】
また、他のスキービンディングとして、主に後側板がスイングできる構造とし、スキーブーツの踏み入る時に開口の最大状態や最小状態が制御できる構造が提案されている（例えば、特許文献２参照）。
【０００８】
この従来のスキービンディング構造は、使用上、前側押え板の形態が固定されているため、スキーブーツが踏み入る時に、最大開口角度がやはり限られるので、スキーブーツで踏み入るのにはやはり不便である。
【０００９】
また、他のスキービンディングとして、前側押え板または後側板に関する調整可能な構成とされたスキービンディング構造が提案されている（例えば、特許文献３−４参照）。
【００１０】
しかし、このスキービンディング構造は、スキーブーツで踏み入る時に、最大開口角度がいずれも限られており、使用者がそれをつけるとき、足を斜めで靴に入れるような動きをしなければならない。
【００１１】
スキーをするときは、通常は重い防寒服を着て、スキーブーツを履いており、体の動きも鈍くなり、そして、スキービンディングが長いスキー板または幅の広いスキー板に固定されているため、足の動きは気のままで行われず、力もかかり、簡単に動けない。したがって、スキービンディングには、スキーブーツを履いて、スキービンディングの装脱着が容易に行えるようにする必要があり、更に使用感及び操作性を向上させることが望まれている。
【先行技術文献】
【特許文献】
【００１２】
【特許文献１】米国特許US6,003,893
【特許文献２】米国特許US7,207,592  B2
【特許文献３】米国特許US7,246,811  B2
【特許文献４】米国特許US7,147,233  B2
【特許文献５】米国特許US5,918,897
【考案の概要】
【考案が解決しようとする課題】
【００１３】
本考案は、上記の点に鑑みてなされたもので、装着脱が簡単に行え、使用感及び操作性、調整機能が良好なスキービンディングを提供することを目的とする。
【課題を解決するための手段】
【００１４】
本考案は、スキー板への取り付けを行うためのスキー板位置決め部が設けられた底板部と、底板部の左右の両側から上方に突出した二つの側縁部とを備えた底座と、底板部の後側に設けられ、上方に突出した後側板と、底座の二つの側縁部の前側に互いに対向して係止され、上部の前後に間隔を置いて設けられた頂板接続部とスティックフレーム接続部とを含み、頂板接続部の位置はスティックフレーム接続部より高く設けられた二つの頂板取付座と、スキーブーツを押さえるスキーブーツ押え面、及び、スキーブーツ押え面の前側の両側から前方に突出した二つの係止フレームを備えたスイング式押え頂板と、弓状に形成され、底座の二つの側縁部の間に横架されるスティックセクション、及び、スティックセクションの両端に設けられ、底座の二つの側縁部に接続される二つの接続部を備えたスティックフレームと、スイング式押え頂板の係止フレームに近い側に設けられ、スイング式押え頂板の係止フレームに回転可能に接続される第一接続部と、スティックフレームの接続部の近い側に設けられスティックフレームの接続部に回転可能に接続される第二接続部とを備えた二つの連動板とを含み、スティックフレームは、二つの接続部が二つの頂板取付座のスティックフレーム接続部に係合し、スティックフレーム接続部を支点として前後にスイングする構成とされ、連動板及びスイング式押え頂板の係止フレーム、スティックフレームの接続部、頂板取付座は、相互の接続によって４バーリンク機構を構成しており、スイング式押え頂板は、二つの係止フレームがそれぞれ二つの頂板取付座の頂板接続部に係止され、頂板接続部を支点として、後方にスイングさせるとともに、スティックフレームを後方にスイングさせることにより拘束され、スティックフレームを前方にスイングさせることにより開放される。
【００１５】
また、本考案は、連動板は、凸爪部が設けられ、凸爪部は、スティックフレームのスティックセクションから上方にスイングして、上下方向の角度になり、スイング式押え頂板のスキーブーツ押え面が後方にスイングすると、スイング式押え頂板の係止フレームに突き当たり、後側板は、底側がピンで底座の二つの側縁部の後側に係止され、上側が弾性的にスイング可能とされている。
【００１６】
本考案は、スキー位置決め部が、底座の底板部に設けられる円形貫通口と、円形位置決め盤とを備え、円形貫通口は、周囲に歯形が形成された歯形リング面を有し、円形位置決め盤は、周縁部に、歯形リング面に形成された歯形と噛み合う歯形を有する歯形噛み合面と、間隔を置いて分布され、スキー板に螺入するボルトを貫通させる複数の位置決めボルト取付穴とを備え、円形位置決め盤の歯形噛合い面と底座の底板部に設けられた歯形リング面とを互いに噛み合せて、円形位置決め盤に対して底座の回転位置を調整可能とされている。
【００１７】
本考案は、頂板取付座が、上下方向に設けられた長形通し穴と、底座の側縁部に対向する面に設けられた第１定方向歯面とを備え、底座は、側縁部の外側面に設けられた第２定方向歯面と、側縁部の複数箇所に設けられ、ボルトが螺入される位置決めねじ穴とを備え、第１定方向歯面と第２定方向歯面との噛み合わせ位置、及び、ボルトの長形通し穴の貫通位置により頂板取付座の底座に対する上下方向の位置決めを行い、第１定方向歯面を、第２定方向歯面に対して前後方向にスライドさせるとともに、ボルトを締めつける位置決めねじ穴を切り替えることにより、頂板取付座の底座に対する前後方向の位置決めを行う。
【００１８】
本考案は、後側板の側部に設けられたピンを支点としてスイング可能に取り付けられたクロー形シートと、スイング式押え頂板のスキーブーツ押え面の側面に設けられ、クロー形シートの一端に設けられた位置決め溝と係合する位置決め柱とを備え、クロー形シートをスキーブーツ押え面の左右の両側でスイングさせて、位置決め柱に位置決め溝を嵌合させ、スイング式押え頂板にあるスキーブーツ押え面を後側板に対して位置決めする頂板位置決め補助ユニットを含む。
【００１９】
本考案は、後側板に一端が係合されるラチェットベルトと、スイング式押え頂板のスキーブーツ押え面に固定され、ラチェットベルトを開放又は拘束する開閉制御スイッチを備え、スイング式押え頂板にあるスキーブーツ押え面を後側板に対して位置決めする頂板位置決め補助ユニットを含む。
【考案の効果】
【００２０】
本考案によれば、スティックフレームを、二つの接続部が二つの頂板取付座のスティックフレーム接続部に係合させ、スティックフレーム接続部を支点として前後にスイングする構成とし、連動板及びスイング式押え頂板の係止フレーム、スティックフレームの接続部、頂板取付座は、相互の接続によって４バーリンク機構を構成し、スイング式押え頂板を、二つの係止フレームがそれぞれ二つの頂板取付座の頂板接続部に係止され、頂板接続部を支点として、後方にスイングさせるとともに、スティックフレームを後方にスイングさせることにより拘束させ、スティックフレームを前方にスイングさせることにより開放させる構成とすることにより、装着脱が簡単に行え、使用感及び操作性の良好なスキービンディングを提供することができる。
【００２１】
また、本考案によれば、連動板に凸爪部を設け、凸爪部をスティックフレームのスティックセクションから上方にスイングして、上下方向の角度になり、スイング式押え頂板のスキーブーツ押え面が後方にスイングすると、スイング式押え頂板の係止フレームに突き当たるようにし、後側板を底側がピンで底座の二つの側縁部の後側に係止し、上側が弾性的にスイング可能とすることにより、スキーブーツを挿入するための開口を拡大できるとともに、スキーブーツの挿入を容易に行えるため、装着脱が簡単に行え、使用感及び操作性の良好なスキービンディングを提供することができる。
【００２２】
さらに、本考案によれば、円形位置決め盤の歯形噛合い面と底座の底板部に設けられた歯形リング面とを互いに噛み合せて、円形位置決め盤に対して底座の回転位置を調整可能としたり、あるいは、第１定方向歯面と第２定方向歯面との噛み合わせ位置、及び、ボルトの長形通し穴の貫通位置により頂板取付座の底座に対する上下方向の位置決めを行えるようにし、第１定方向歯面を、第２定方向歯面に対して前後方向にスライドさせるとともに、ボルトを締めつける位置決めねじ穴を切り替えることにより、頂板取付座の底座に対する前後方向の位置決めを行えるようにすることにより、使用者の年齢層や体型、各種ブーツに対応できることになり、多様な使用ニーズを満足させるというメリットがある。
【００２３】
また、本考案によれば、クロー形シートをスキーブーツ押え面の左右の両側でスイングさせて、位置決め柱に位置決め溝を嵌合させ、スイング式押え頂板にあるスキーブーツ押え面を後側板に対して位置決めする頂板位置決め補助ユニット、あるは、後側板に一端が係合されるラチェットベルトと、スイング式押え頂板のスキーブーツ押え面に固定され、ラチェットベルトを開放又は拘束する開閉制御スイッチを備え、スイング式押え頂板にあるスキーブーツ押え面を後側板に対して位置決めする頂板位置決め補助ユニットを設けることにより、ブーツを固定するためのスキーブーツ押え面の位置決めを確実かつ強固に行える。
【図面の簡単な説明】
【００２４】
【図１】本考案の一実施例の斜視図である。
【図２】本考案の一実施例の要部の斜視図である。
【図３】本考案の一実施例の動作説明図である。
【図４】本考案の一実施例の動作説明図である。
【図５】本考案の一実施例の動作説明図である。
【図６】本考案の一実施例のスキー板位置決め部の変形例の斜視図である。
【図７】本考案の一実施例の頂板取付座の位置調整機構の動作説明図である。
【図８】本考案の一実施例の頂板取付座の位置調整機構の動作説明図である。
【図９】本考案の一実施例の変形例の側面図である。
【図１０】本考案の一実施例の他の変形例の側面図である。
【図１１】本考案の一実施例の他の変形例の要部の構成図である。
【考案を実施するための形態】
【００２５】
図１は、本考案の一実施例の斜視図、図２は、本考案の一実施例の要部の斜視図を示す。
【００２６】
本実施例のスキービンディング１は、主に、底座１０、後側板２０、頂板取付座３０、スイング式押え頂板４０、スティックフレーム５０、連動板６０などを含む構成とされている。
【００２７】
底座１０は、底板部１１、側縁部１２を含む構成とされている。底板部１１は、中間区域にスキー板位置決め部１３を有する。また、底板部１１は、前側には前開口１４、後側に後開口１５が形成されている。
【００２８】
側縁部１２は、底板部１１の左右の両側に設けられ、上方向に延長された構成とされている。
【００２９】
底板部１１の後側には、後側板２０が取り付けられている。後側板２０の底側両端は、は、底座１０の二つの側縁部１２の後ろ側に係止される。後側板２０は、上部が底板部１１に対して弾性変形可能な構成とされている。
【００３０】
頂板取付座３０は、底座１０の二つの側縁部１２の前側にそれぞれ設けられる。二つの頂板取付座３０は、上部の前、後には間隔を置きながら頂板接続部３１とスティックフレーム接続部３２とが設けられている。頂板接続部３１の位置は、スティックフレーム接続部３２の位置より高く設けられている。
【００３１】
スイング式押え頂板４０は、スキーブーツ押え面４１及びスキーブーツ押え面４１の前側の両側が前へ伸びた二つの係止フレーム４２を備える構成とされている。
【００３２】
二つの係止フレーム４２は、二つの頂板取付座３０の頂板接続部３１に回転可能に取り付けられている。スキーブーツ押え面４１は、頂板接続部３１を支点として、スイング可能とされている。
【００３３】
スティックフレーム５０は、略弓状に形成されたスティックセクション５１、及び、スティックセクション５１の両端に設けられた二つの接続部５２を備えている。
【００３４】
二つの該接続側５２は、二つの頂板取付座３０のスティックフレーム接続部３２に係止される。スティックセクション５１は、スティックフレーム接続部３２を支点として前後にスイングする構成とされている。
【００３５】
二つの連結板６０は、第一接続部６１と第二接続側６２を備え、スイング式押え頂板４０の係止フレーム４２とスティックフレーム５０の接続部５２との間を接続する。第一接続部６１は、スイング式押え頂板４０の係止フレーム４２に近い位置に設けられ、第二接続部６２は、スティックフレーム５０の接続側５２の近い位置に設けられる。
また、連動板６０及びスイング式押え頂板４０の係止フレーム４２、スティックフレーム５０の接続部５２、頂板取付座３０の上部は、相互に接続され、４バーリンク機構を構成する。
【００３６】
また、連動板６０は、凸爪部６３を有する。凸爪部６３は、スティックフレーム５０のスティックセクション５１から上方にスイングして、縦向き角度になる。また、凸爪部６３は、スイング式押え頂板４０のスキーブーツ押え面４１が後方にスイングして、スキーブーツを押さえた状態になったとき、スイング式押え頂板４０の係止フレーム４２に突き当たる構成とされている。
【００３７】
次に、本実施例のスキービンディング１へのスキーブーツ０５の装着動作について説明する。
【００３８】
図３乃至図５は、本考案の一実施例の動作説明図を示す。
【００３９】
使用者の履いているスキーブーツ０５をスキービンディング１に装着するときには、まず、図３に示すように、使用者は手や片足で、スティックフレーム５０を前方のデッドポイントまでスイングさせる。このとき、連動板６０でスイング式押え頂板４０も同時に前方（矢印Ｌ1方向）にスイングさせ、スイング式押え頂板４０のスキーブーツ押え面４１のスイング角度を９０度以上にする。
【００４０】
これにより、図３に示すようにスキーブーツ０５の導入口が超広角に開口した状態となり、スキーブーツ０５を装着するとき、縦向きで直接に下方（矢印Ｌ2方向）へ踏み入ることができるようになる。
【００４１】
なお、このとき、スキーブーツ０５の後ろ側が後側板２０に突き当たっても、後側板２０が後方（矢印Ｌ3方向）へスイングさせることができるため、障害にはならない。
【００４２】
スキーブーツ０５を底座１０の底板部１１及び二つの側縁部１２の間に装着した後、使用者がスティックフレーム５０を後方にスイングさせる。このとき、連動板６０でスイング式押え頂板４０も同時に後方（矢印Ｌ4方向）にスイングさせるようにする。
【００４３】
スティックフレーム５０が後方にスイングして、図５に示すように、縦向き角度になると、スイング式押え頂板４０のスキーブーツ押え面４１がちょうどスキーブーツ０５の上面に突き当たり、スキーブーツ０５の上面を押える状態になる。
【００４４】
この状態では、連動板６０の第一接続部６１、第二接続部６２とスティックフレーム５０の接続部５２の底側にあるスティックフレーム接続部３２は、図５に示すように、位置関係が三角形Ｌ5を構成する。
【００４５】
このとき、本実施例の４バーリンク機構によれば、スイング式押え頂板４０及びスティックフレーム５０を後方にスイングさせたときには、スイング式押え頂板４０のスキーブーツ押え面４１による上向き（矢印Ｌ6方向）の作用力によりスティックフレーム５０がスイングすることはなく、スイング式押え頂板４０を押え状態に位置決めすることが可能となる。
【００４６】
また、本実施例の４バーリンク機構によれば、スティックフレーム５０を前方にスイングさせることにより、図４に示すようにスイング式押え頂板４０の位置決め状態から開放することができる。
【００４７】
なお、底座１０の底板部１１にあるスキー板位置決め部１３は、例えば、間隔を置いて分布される複数のボルト取付穴から構成される。ボルトを複数のボルト取付穴を通してスキー板に締めつけることにより、スキービンディング１はスキー板に固定される。
【００４８】
本実施例によれば、連動板及びスイング式押え頂板の係止フレーム、スティックフレームの接続部、頂板取付座の上部を相互の接続し、４バーリンク機構を構成することにより、スイング式押え頂板の押え状態は、スティックフレームの縦向き角度で、位置が直接に決められ、そして、該スイング式押え頂板の開放状態は、角度が９０度以上の広い開口状態となるため、使用者のスキーブーツをスキービンディングに装着するとき、縦向きで直接に下へ踏み入られるように行われ、スキービンディングの位置決めや開放操作はより簡単で便利になる。
【００４９】
なお、本実施例では、スキービンディング１を固定としたが、スキービンディング１を回転調整可能な構成とすることもできる。
【００５０】
図６は本考案の一実施例のスキー板位置決め部の変形例の斜視図を示す。
【００５１】
本変形例のスキー板位置決め部１３Ｂは、図６に示すように、底座１０の底板部１１に設けられる円形貫通口１３１、円形位置決め盤１３４を備えた構成とされている。
【００５２】
底座１０の底板部１１の円形貫通口１３１の周りの上面には、歯形が形成された歯形リング面１３２が形成されている。
【００５３】
円形位置決め盤１３４は、円形状をなし、周縁部下面には歯形噛み合面１３３が形成されている。また、円形位置決め盤１３４は、間隔を置いて分布される複数の位置決めボルト取付穴１３５が形成されている。
【００５４】
歯形噛合い面１３３は、円形位置決め盤１３４の下面側に歯形が形成されており、底座１０の底板部１１の上面に形成された歯形リング面１３２に対向するように形成されている。歯形噛合い面１３３の歯形と歯形リング面１３２の歯形とは互いに噛み合うように形成されている。
【００５５】
複数のボルト取付穴１３５には、ボルト１３６が貫通する。ボルト１３６は、複数のボルト取付穴１３５を通してスキー板７０に予め形成されたボルト穴７１に螺入される。
【００５６】
ボルト１３６をスキー板７０に設けられたボルト穴７１に締めつける前に、底座１０の底板部１１を所望の角度で歯形リング面１３２の歯形と円形位置決め盤１３４の歯形とを噛み合わせた後に、ボルト１３６をスキー板７０に設けられたボルト穴７１に締めつけることにより、スキービンディング１を所望の角度でスキー板７０に取り付けることができる。
【００５７】
また、頂板取付座３０の位置を前後、上下に調整する調整機構を設けるようにしてもよい。
【００５８】
図７は本考案の一実施例の頂板取付座の位置調整機構の動作説明図、図８は本考案の一実施例の頂板取付座の位置調整機構の動作説明図を示す。
【００５９】
本変形例の頂板取付座３０の調整機構は、頂板取付座３０に上下方向（矢印Ｌ7方向）に設けられた長形通し穴３３、頂板取付座３０の底座１０の側縁部１２に対向する面に設けられた定方向歯面８１、底座１０の側縁部１２の外側面に設けられた定方向歯面８２、底座１０の側縁部１２に設けられた位置決めねじ穴１２０、ボルト１２１から構成されている。
【００６０】
定方向歯面８１は、歯が前後方向に略平行に、また、頂板取付座３０の底座１０の側縁部１２に対向する面から突出して設けられている。定方向歯面８２は、歯が前後方向に略平行に、また、底座１０の側縁部１２の外側面から凹状に形成されている。定方向歯面８１の歯と定方向歯面８２の歯とは、図８に示すように互いに噛合するように形成されている。
【００６１】
定方向歯面８１の歯と定方向歯面８２の歯との噛み合わせ位置を変えることにより、頂板取付座３０の底座１０に対する上下方向（矢印Ｌ7方向）の位置決めを行うことができる。
【００６２】
なお、このとき、頂板取付座３０に設けられた長形通し穴３３により、頂板取付座３０をボルト１２１の締めつけ箇所は変えずに、上下方向（矢印Ｌ7方向）に移動させることが可能となる。また、位置決めねじ穴１２０は、前後方向（矢印Ｌ8方向）の複数箇所に渡って形成されており、定方向歯面８１の歯を定方向歯面８２の歯に対して前後方向に移動させ、ボルト１２１を締めつける位置決めねじ穴１２０を切り替えることにより、頂板取付座３０の底座１０に対する前後方向（矢印Ｌ8方向）の位置決めを行うことができる。
【００６３】
以上により、頂板取付座３０の底座１０に対する位置を上下方向（矢印Ｌ7方向）、前後方向（矢印Ｌ8方向）に調整することが可能となる。
【００６４】
これにより、使用者の年齢層や体型に対応できることになり、多様な使用ニーズを満足させるというメリットがある。
【００６５】
また、スイング式押え頂板４０にあるスキーブーツ押え面４１の押さえ状態を強化するために、頂板位置決め補助ユニットを設けるようにしてもよい。
【００６６】
図９は、本考案の一実施例の変形例の側面図を示す。
【００６７】
本変形例は、頂板位置決め補助ユニット９０を有する。頂板位置決め補助ユニット９０は、後側板２０の側部に設けられたピン９１１を中心としてスイング可能なクロー形シート９１と、スイング式押え頂板４０のスキーブーツ押え面４１の側面に設けられ、クロー形シート９１の一端に設けられた位置決め溝９１３と係合する位置決め柱９２とを備える。
【００６８】
クロー形シート９１は、ピン９１１で後側板２０の底部に近い部分で回転可能に保持あれている。クロー形シート９１の一端には、開口９１２付きの位置決め溝９１３を有する。位置決め溝９１３には、少なくとも一つの位置決め嵌合縁９１４を有する。
【００６９】
クロー形シート９１の他端には、後側板２０の後方へ折曲された制御アーム９１５が設けられている。制御アーム９１５を上下方向(矢印Ｌ9方向)に操作することにより、クロー形シート９１がスイングし、クロー形シート９１の一端に設けられた位置決め嵌合縁９１４の位置決め柱９２への装脱着の制御が行われる。
【００７０】
位置決め柱９２は、スイング式押え頂板４０のスキーブーツ押え面４１左右の両側にはみだすように設けられている。
【００７１】
クロー形シート９１をスキーブーツ押え面４１の左右の両側でスイングさせて、位置決め柱９２に位置決め溝９１３の位置決め嵌合縁９１４を嵌合させる。これにより、スイング式押え頂板４０にあるスキーブーツ押え面４１の押さえた状態の位置決め機能が補助され、強化される。
【００７２】
また、本変形例の頂板位置決め補助ユニット９０は、クロー形シート９１のスイングにより、装着脱を制御したが、ラチェットベルトなどのベルトを用いて制御するようにしてもよい。
【００７３】
図１０は、本考案の一実施例の他の変形例の側面図、図１１は、本考案の一実施例の他の変形例の要部の構成図を示す。
【００７４】
本変形例の頂板位置決め補助ユニット９０Ｂは、後側板２０に一端が接続される単一方向ラチェットベルト９３と、スイング式押え頂板４０にあるスキーブーツ押え面４１の左右の両側に設けられ、単一方向ラチェットベルト９３を開放又は拘束する開閉制御スイッチ９４とを備える。
【００７５】
開閉制御スイッチ９４は、スイング式押え頂板４０にあるスキーブーツ押え面４１左右の両側に設けられている。単一方向ラチェットベルト９３の底部には、嵌入穴９３０がある。嵌入穴９３０は、両側の内径の大きさが異なってもよい。後側板２０左右の両側に近い底部には、キノコ状のような位置決め柱２２を有する。位置決め柱２２には、単一方向ラチェットベルト９３の底部にある嵌入穴９３０が嵌合され、固定される。
【００７６】
なお、位置決め柱２２と嵌入穴９３０との嵌合は、簡単に取り外せるように構成されている。
【００７７】
スイング式押え頂板４０のスキーブーツ押え面４１が前へスイングするとき、単一方向ラチェットベルト９３の底部にある嵌入穴９３０から位置決め柱２２を外す。これにより、ラチェットベルト９３は、スイング式押え頂板４０の開放動作に影響しないように構成されている。
【００７８】
なお、開閉制御スイッチ９４は、単一方向ラチェットベルト９３の拘束や開放に使用されるものであり、その細部構造は、従来の知られている公知技術であり、様々な方式が使用可能である。開閉制御スイッチ９４については、本考案での保護範疇ではないのでこれ以上述べないことにする。
【００７９】
なお、上述の実施例に提示したのは、本考案を具体的に説明するために用いられる内容であり、文中で専門用語を使って説明してきたが、それを以って本考案の実用新案請求範囲が制限されるものではない。また、この技術分野が分かる者は、本考案のコンセプトや考えを理解してその改造や変更などを行って、それと同等な目的を達成させたとしても、それらの改造や変更などは、実用新案請求の範囲に含まれるものとする。
【符号の説明】
【００８０】
１  スキービンディング
５  スキーブーツ
１０  底座
１１  底板部
１２  側縁部
１２０  位置決めネジ穴
１２１  ボルト
１３  スキー板位置決め部
１３Ｂ  スキー板位置決め部
１３１  円形貫通口
１３２  歯形リング面
１３３  齒形噛合い面
１３４  円形位置決め盤
１３５  位置決めボルト取付穴
１３６  ボルト
１４  前開口
１５  後開口
２０  後側板
２１  ピン
２２  位置決め柱
３０  頂板取付座
３１  頂板接続部
３２  スティックフレーム接続部
３３  長形通し穴
４０  スイング式押え頂板
４１  スキーブーツ押え面
４２  係止フレーム
５０  スティックフレーム
５１  スティックセクション
５２  接続部
６０  連動板
６１  第一接続部
６２  第二接続部
６３  凸爪部
７０  スキー板
７１  ボルト穴
８１  定方向歯面
８２  定方向歯面
９０  頂板位置決め補助ユニット
９０Ｂ  頂板位置決め補助ユニット
９１  クロー形シート
９１１  ピン
９１２  開口
９１３  位置決め溝
９１４  位置決め嵌合縁
９１５  制御アーム
９２  位置決め柱
９３  単一方向ラチェットベルト
９３０  嵌入穴
９４  開閉制御スイッチ
【図１】
0003156076.tif 000003
【図２】
0003156076.tif 000004
【図３】
0003156076.tif 000005
【図４】
0003156076.tif 000006
【図５】
0003156076.tif 000007
【図６】
0003156076.tif 000008
【図７】
0003156076.tif 000009
【図８】
0003156076.tif 000010
【図９】
0003156076.tif 000011
【図１０】
0003156076.tif 000012
【図１１】
0003156076.tif 000013